(57)【要約】      （修正有）【課題】目的のカードを探しやすく、不注意でカードが脱落することを抑制でき、かつ製造の容易なカードケースを提供する。【解決手段】カードケース１についての開状態を示す平面図で立ち上がった蛇腹収容体２には、３箇所の菱形のカード収容部２３が開口する。それぞれのカード収容部２３にカードを複数枚収納することができる。基台部材３の辺のうち横方向に沿った一辺に沿って屈曲部を挟む状態で並んで接合される構成を備える。【選択図】図１
2020054695.tif 000002
【特許請求の範囲】
【請求項１】
折曲げ可能な屈曲部により開閉可能な基台部材を備え、前記基台部材を折曲げて閉状態となり、前記基台部材を折曲げ解除して開状態となるカードケースであって、
１以上の山折部と１以上の谷折部とを備えた帯状の部材であって、前記山折部と前記谷折部との間又は端部と山折部若しくは谷折部との間に形成される平面部に帯全体の切断には至らない切込部を備えた帯部材の二枚一対が、一方の帯部材の山折部が他方の帯部材の谷折部に対向し、一方の帯部材の谷折部が他方の帯部材の山折部に対向するように、一方の帯部材の切込部が他方の帯部材の切込部に差込まれることで互いに組み合うとともに、一方の帯部材の山折部と他方の帯部材の谷折部との間、又は一方の帯部材の谷折部と他方の帯部材の山折部との間に生じた空間の下方の一部が閉鎖されることで、この空間からなるカード収容部を備えた蛇腹収容体が形成され、
前記屈曲部に沿う方向を縦方向と呼び、前記縦方向に対して直交する方向を横方向と呼ぶとき、
二枚の前記帯部材のそれぞれについて、その両端が前記基台部材の辺のうち横方向に沿った一辺に沿って前記屈曲部を挟む状態で並んで接合されることで、前記蛇腹収容体が前記屈曲部を横断するように前記基台部材に結合されることを特徴とするカードケース。
【請求項２】
前記基台部材を完全に伸長した開状態としたときに、前記収容部の縦方向内側寸法が、収容対象物の長さ方向の寸法に対して１〜３ｍｍ小さいことを特徴とする請求項１記載のカードケース。
【請求項３】
前記基台部材の背面側に外側部材を備え、前記基台部材と前記外側部材との間に紙幣を収容することが可能なことを特徴とする請求項１又は２記載のカードケース。
【発明の詳細な説明】
【技術分野】
【０００１】
本発明は、カードケースに関するものである。
【背景技術】
【０００２】
多くの者が、クレジットカード、銀行キャッシュカード、ポイントカード、会員カード、診察券等の各種カード類を財布等に収納して持ち歩いている現状がある。これらのカード類には、必要な情報が印刷や手書きにより記録されているものもあるが、近年では様々な会員認証処理が電子化されていることもあり、磁気カードやＩＣカード等といった電子利用可能な媒体が数多く発行され、この種のカード類は増加する一方である。このため、十枚以上のカードを持ち歩くに至り、商店のレジや、受付の窓口等において、多数のカードの中から必要なカードを探して手間取る経験をする者も多い。
【０００３】
また、携帯時には折りたたむことができ、カードを取り出すときに開くことで大きな開口部が現れるタイプのカードケースも市販されている。このタイプのカードケースならば、多数のカードの中から必要なカードを探し出すのは容易になる。しかし、このタイプのカードケースの場合、不注意により、収納されているカードが大きな開口部からこぼれ落ちてしまうこともある。
【０００４】
このような状況の中、例えば特許文献１に開示されるように、略矩形状の前面部、背面部及び折り返し部が一体化した素材からなる長財布型の外形を有したカードケース本体と、当該カードケース本体の前面部と背面部の内側の折り曲げ部を底辺とした扇型状に取り付けられた複数の菱形収納体を備え、この菱形収納体が、矩形袋状の容器を複数重ね、ひとつの矩形袋状の容器は２ヶ所の収納袋を持ち、隣接する矩形袋状の容器が長辺のそれぞれの端から四分の一の箇所を接着した複数の矩形袋状の容器を接合することにより形成されるカードケースが提案されている。このカードケースは、矩形袋状の開口部長辺の中間付近を、別の矩形袋状の開口部長辺の中間付近と連結させることで、カードケースを開いたときに矩形袋状のカード収容部も一緒に開くよう工夫がされている。このとき、矩形袋状のカード収容部は菱形形状に開口し、その菱形形状の対角線上に存在するカードを押圧してカードの脱落を抑制する。また、これに類似する構造を備えたカードケースが特許文献２にも開示されている。
【先行技術文献】
【特許文献】
【０００５】
【特許文献１】特開２０１６−２２１２００号公報
【特許文献２】特開２０１７−１２７４５６号公報
【発明の概要】
【発明が解決しようとする課題】
【０００６】
特許文献１や特許文献２に記載されたカードケースを用いることにより、目的のカードを探すのが容易となり、かつカードが開口部からこぼれ落ちるのを抑制できる。しかしながら、特許文献１や特許文献２に記載されたカードケースは、カード収容部となる袋体同士を結合させる等、その製造に手間がかかるものである。また、カードケースを開く度に袋体同士の結合部には袋体を開くための引張力が加わることになり、この結合部が破損しやすいという問題もある。
【０００７】
本発明は、以上の状況に鑑みてなされたものであり、目的のカードを探しやすく、不注意でカードが脱落することを抑制でき、かつ製造の容易なカードケースを提供することを目的とする。
【課題を解決するための手段】
【０００８】
本発明者は、以上の課題を解決するために鋭意検討を重ねた結果、折曲げ可能な屈曲部により開閉可能な基台部材を備え、上記基台部材を折曲げて閉状態となり、上記基台部材を折曲げ解除して開状態となるカードケースであって、１以上の山折部と１以上の谷折部とを備えた帯状の部材であって、上記山折部と上記谷折部との間又は端部と山折部若しくは谷折部との間に形成される平面部に帯全体の切断には至らない切込部を備えた帯部材の二枚一対が、一方の帯部材の山折部が他方の帯部材の谷折部に対向し、一方の帯部材の谷折部が他方の帯部材の山折部に対向するように、一方の帯部材の切込部が他方の帯部材の切込部に差込まれることで互いに組み合うとともに、一方の帯部材の山折部と他方の帯部材の谷折部との間、又は一方の帯部材の谷折部と他方の帯部材の山折部との間に生じた空間の下方の一部が閉鎖されることで、この空間からなるカード収容部を備えた蛇腹収容体が形成され、二枚の上記帯部材のそれぞれについて、その両端が上記基台部材の辺のうち横方向に沿った一辺に沿って上記屈曲部を挟む状態で並んで接合されることで、上記蛇腹収容体が上記屈曲部を横断するように前記基台部材に結合される構成を備えたカードケースとすることにより、上記の課題が解決されることを見出し、本発明を完成するに至った。
【０００９】
本発明のカードケースでは、カード収容部となる蛇腹収容体にて接合が必要な箇所は、基本的には、蛇腹収容体とカードケース本体を構成する基台部材との間と、蛇腹収容体に含まれるカード収容部の底部のみなので、製造が容易であるだけでなく、特許文献１や２に記載されたカードケースのように袋体同士の接合部が破損することもない。また、このカードケースに何らかの破損が生じた場合であっても、構成部材が少なく単純な構造なので、修理も容易である。さらに、上記のように、本発明のカードケースでは、蛇腹収容体を構成する２枚の帯部材のそれぞれの両端が、上記基台部材の辺のうち横方向に沿った一辺に沿って屈曲部を挟む状態で並んで接合されることにより、カードケースを開いたときに上記蛇腹収容体が所謂「飛び出す絵本」のように立ち上がって、カード収容部が大きく開口するとともに、収容されたカードの長さ方向には２枚の帯部材からの押圧力が加わり、カードの脱落が抑制される。本発明のカードケースは、以上のような特徴と備える。具体的には、本発明は、以下のようなものを提供する。
【００１０】
本発明は、折曲げ可能な屈曲部により開閉可能な基台部材を備え、上記基台部材を折曲げて閉状態となり、上記基台部材を折曲げ解除して開状態となるカードケースであって、１以上の山折部と１以上の谷折部とを備えた帯状の部材であって、上記山折部と上記谷折部との間又は端部と山折部若しくは谷折部との間に形成される平面部に帯全体の切断には至らない切込部を備えた帯部材の二枚一対が、一方の帯部材の山折部が他方の帯部材の谷折部に対向し、一方の帯部材の谷折部が他方の帯部材の山折部に対向するように、一方の帯部材の切込部が他方の帯部材の切込部に差込まれることで互いに組み合うとともに、一方の帯部材の山折部と他方の帯部材の谷折部との間、又は一方の帯部材の谷折部と他方の帯部材の山折部との間に生じた空間の下方の一部が閉鎖されることで、この空間からなるカード収容部を備えた蛇腹収容体が形成され、上記屈曲部に沿う方向を縦方向と呼び、前記縦方向に対して直交する方向を横方向と呼ぶとき、二枚の前記帯部材のそれぞれについて、その両端が前記基台部材の辺のうち横方向に沿った一辺に沿って上記屈曲部を挟む状態で並んで接合されることで、前記蛇腹収容体が前記屈曲部を横断するように前記基台部材に結合されることを特徴とするカードケースである。
【００１１】
本発明において、上記基台部材を完全に伸長した開状態としたときに、上記収容部の縦方向内側寸法は、収容対象物の長さ方向の寸法に対して１〜３ｍｍ小さいことが好ましい。
【００１２】
本発明において、上記基台部材の背面側に外側部材を備え、上記基台部材と上記外側部材との間に紙幣を収容することが可能なことが好ましい。
【発明の効果】
【００１３】
本発明によれば、目的のカードを探しやすく、不注意でカードが脱落することを抑制でき、かつ製造の容易なカードケースが提供される。
【図面の簡単な説明】
【００１４】
【図１】図１は、本発明の一実施形態のカードケース１についての開状態を示す平面図である。
【図２】図２は、本発明の一実施形態のカードケース１についての使用状態を示す平面図である。
【図３】図３は、本発明の一実施形態のカードケース１についての閉状態を示す斜視図である。
【図４】図４は、２枚の帯部材２１、２２を組み合わせて蛇腹収容体２を形成する様子を示す組立図である。
【図５】図５は、蛇腹収容体２を示す斜視図である。
【図６】図６は、蛇腹収容体２が基台部材３に固体された状態を示す平面図である。
【図７】図７は、蛇腹収容体２、基台部材３及び外側部材４の組み付け方法を示す組立図である。
【発明を実施するための形態】
【００１５】
以下、本発明のカードケース１の一実施形態について、図面を参照しながら説明する。図１は、本発明の一実施形態のカードケース１についての開状態を示す平面図である。図２は、本発明の一実施形態のカードケース１についての使用状態を示す平面図である。図３は、本発明の一実施形態のカードケース１についての閉状態を示す斜視図である。図４は、２枚の帯部材２１、２２を組み合わせて蛇腹収容体２を形成する様子を示す組立図である。図５は、蛇腹収容体２を示す斜視図である。図６は、蛇腹収容体２が基台部材３に固体された状態を示す平面図である。図７は、蛇腹収容体２、基台部材３及び外側部材４の組み付け方法を示す組立図である。
【００１６】
カードケース１は、図７に示すように、蛇腹収容体２、基台部材３及び外側部材４を組み合わせて構成される。ここで、本明細書では、外側部材４のうち蛇腹収容体２の設けられる面を内側と呼び、他方の面を外側と呼ぶ。そして、外側部材４のうち、内側面を表側にしたときに、凸型留め具５１の設けられた端部側を右側と呼び、これに対向する外側部材４の端部側を左側と呼ぶ。また、左右方向を横方向と呼び、横方向に直交する方向（屈曲部３１に沿う方向でもある。）を縦方向と呼ぶ。カードケース１は、屈曲部３１（図７を参照。）、及び基台部材３の右側端部にて折曲げ可能とされ、これらの箇所にてそれぞれ内側に折曲げることにより、図３に示す閉状態となる。すなわち、基台部材３は、閉状態において屈曲部３１により内側に折曲げられることになる。閉状態では、外側部材４の右側端部に設けた凸型留め具５１と、外側部材４の外側に設けられた凹型留め具５２とを係合させてなる留め具５により閉状態が維持される。閉状態において、蛇腹収容体２は、基台部材３とともに折り畳まれ、二つ折り状態の基台部材３の間に収容される。留め具５の凸型留め具５１と凹型留め具５２との係合を解除して外側部材４を開くと開状態となり、開状態では基台部材３が折曲げ解除になるとともに、折り畳まれていた蛇腹収容体２が所謂「飛び出す絵本」の要領で立ち上がる。
【００１７】
図１及び図２に示すように、立ち上がった蛇腹収容体２には、３箇所の菱形のカード収容部２３が開口する。菱形のカード収容部２３は、山折又は谷折となった二枚の帯部材２１、２２によって形成され、それぞれのカード収容部２３にカード６を複数枚収納することができる。このカード収容部２３では、カードケース１が開状態となって２枚の帯部材２１、２２に左右方向への張力が加わることにより、カード収容部２３を形成する２枚の帯部材２１、２２の山折部及び谷折部から幅方向中心に向けた力Ｆが加わり、これら２枚の帯部材２１、２２が収容されたカード６を押圧する。これにより、収容されたカード６の脱落が抑制される。なお、菱形のカード収容部２３に対してカード６の出し入れを行う際は、カードケース１の開き具合、すなわち帯部材２１、２２に加わる張力を調節して、力Ｆを緩めればよい。
【００１８】
基台部材３の左右端部付近に存在する、基台部材３と蛇腹収容体２との間には、カード収容部２４が形成され、ここにもカード６を収納することが可能である。また、外側部材４及び基台部材３は、基台部材３の左側端部と下側端部にて互いに接合されており、基台部材３の右側端部と上側端部はフリーになっている。このため、外側部材４と基台部材３との間には札収容部８が形成され、ここに紙幣７等の長尺物を収納することができる。
【００１９】
カードケース１は、皮革で構成されている。すなわち、蛇腹収容体２、基台部材３及び外部部材４のいずれもが皮革である。したがって、これらの部材を接合する手段は主として縫合である。
【００２０】
次に、カード収容部２３、２４を形成する蛇腹収容体２の構造について説明する。
【００２１】
図４に示すように、蛇腹収容体２は、第一帯部材２１及び第二帯部材２２からなる２枚一対の帯部材を組み合わせて構成される。各帯部材は、１以上の山折部と１以上の谷折部とを備える。すなわち、第一帯部材２１は、左側端部２１４Ａから右側端部２１４Ｂへ向けて、山折部２１１、谷折部２１２及び山折部２１１が順に形成され、第二帯部材２２は、左側端部２２４Ａから右側端部２２４Ｂへ向けて、谷折部２２２、山折部２２１及び谷折部２２２が順に形成される。なお、本明細書において、図４を観察者の前方正面に置いてこれを斜視したときに、観察者側に突き出している折部を「山折」と呼び、観察者から遠ざかる折部を「谷折」と呼ぶ。
【００２２】
各帯部材は、山折部と谷折部との間、又は端部と山折部若しくは谷折部との間に形成される平面部に帯全体の切断には至らない切込部を備える。すなわち、第一帯部材２１は、左側端部２１４Ａ側から順に、左側端部２１４Ａと山折部２１１との間に形成される平面部２１５の長さ方向略中間部の下側に、第一帯部材２１の幅方向長さの約半分の長さの切込部２１３と、山折部２１１と谷折部２１２との間に形成される平面部２１７の長さ方向略中間部の下側に、第一帯部材２１の幅方向長さの約半分の長さの切込部２１３と、谷折部２１２と山折部２１１との間に形成される平面部２１７の長さ方向略中間部の下側に、第一帯部材２１の幅方向長さの約半分の長さの切込部２１３と、山折部２１１と右側端部２１４Ｂとの間に形成される平面部２１６の長さ方向略中間部の下側に、第一帯部材２１の幅方向長さの約半分の長さの切込部２１３とを備える。また、第二帯部材２２は、左側端部２２４Ａ側から順に、左側端部２２４Ａと谷折部２２２との間に形成される平面部２２５の長さ方向略中間部の上側に、第二帯部材２２の幅方向長さの約半分の長さの切込部２２３と、谷折部２２２と山折部２２１との間に形成される平面部２２７の長さ方向略中間部の上側に、第二帯部材２２の幅方向長さの約半分の長さの切込部２２３と、山折部２２１と谷折部２２２との間に形成される平面部２２７の長さ方向略中間部の上側に、第二帯部材２２の幅方向長さの約半分の長さの切込部２２３と、谷折部２２２と右側端部２２４Ｂとの間に形成される平面部２２６の長さ方向略中間部の上側に、第二帯部材２２の幅方向長さの約半分の長さの切込部２２３とを備える。なお、図４に示すように、Ｍ字型となる第二帯部材２２は、上下反転させてＷ字型とすれば第一帯部材２１と同じものになる。したがって、同じ形状の帯部材を２枚作製しておけば、いずれかを第一帯部材２１とし、残りを第二帯部材２２として用いることができる。
【００２３】
第一帯部材２１の４つの切込部２１３、２１３、２１３、２１３は、第二帯部材２２の４つの切込部２２３、２２３、２２３、２２３に差込まれることで互いに組み合う。このとき、図４に示すように、第一帯部材２１の２つの山折部２１１、２１１を、第二帯部材２２の２つの谷折部２２２、２２２とそれぞれ対向させ、第一帯部材２１の谷折部２１２を、第二帯部材２２の山折部２２１と対向させる。これにより、対向する山折部と谷折部との間に、第一帯部材２１と第二帯部材２２により仕切られた３つの空間が形成される。この３つの空間が、後にそれぞれカード収容部２３になる。なお、これら３つの空間は平面視で菱形をしており、この菱形の縦方向の対角線にカード６の長辺が収容される。したがって、収容対象であるカード６の長辺の寸法を考慮して各帯部材の長さ、各山折部及び谷折部の位置、各切込線の位置が決定される。なお、カードケース１が全開となったときに、カード収容部２３の縦方向の対角線の寸法がカード６の長辺の寸法よりも１〜３ｍｍ程度小さくなるように各寸法を決定するのがよい。これにより、カードケース１を全開にしたときに、カード収容部２３において十分なカード保持がなされる。
【００２４】
上記のように第一帯部材２１と第二帯部材２２とが組み合うことにより、第一帯部材２１の右側端部２１４Ｂ側の平面部２１６は、第二帯部材２２により、右側端部２１４Ｂ側から順に第一端部平面２１６１と第二端部平面２１６２に分割される。同様に、第一帯部材２１の左側端部２１４Ａ側の平面部２１５は、第二帯部材２２により、左側端部２１４Ａ側から順に第一端部平面２１５１と第二端部平面２１５２に分割され、第二帯部材２２の右側端部２２４Ｂ側の平面部２２６は、第一帯部材２１により、第一端部平面２２６１と第二端部平面２２６２に分割され、第二帯部材２２の左側端部２２４Ａ側の平面部２２５は、第一帯部材２１により、第一端部平面２２５１と第二端部平面２２５２に分割される。
【００２５】
既に述べたように、第一帯部材２１の山折部２１１と第二帯部材２２の谷折部２２２との間、又は第一帯部材２１の谷折部２１２と第二帯部材２２の山折部２２１との間には、山折部と谷折部とが対向することで空間が形成される。この空間の下方の一部が閉鎖されることで、この空間にカード６が挿入されたときに空間の底部からカード６が落下するのが防止される。具体的には、一対の帯部材のうちの任意の一方の帯部材、すなわち本実施形態では第一帯部材２１において、形成された空間の底辺２１８、２１８を縫合して閉鎖し、図５に示すように、閉鎖部２１９とする。第一帯部材２１と第二帯部材２２により形成された空間は全部で３つあるが、１つの空間の４つの底辺のうち、閉鎖される底辺はいずれも第一帯部材２１によりもたらされる一組の底辺２１８、２１８である。閉鎖は、底辺２１８、２１８の全体に対して行ってもよいし、端部側の一部に対して行ってもよい。端部側の一部を閉鎖した場合、図５の中央の空間の閉鎖部２１９のように、端部のみが閉鎖され、残りの部分はフリーとなる。それぞれの空間に閉鎖部２１９が形成されることで、３つの各空間は、後に３つのカード収容部２３、２３、２３となる。
【００２６】
以上のように、第一帯部材２１と第二帯部材２２とを組み合わせ、さらに谷折部と山折部とが対向して形成される空間の下方の一部を閉鎖して蛇腹収容体２が形成される。次に、図６及び図７を参照しながら、蛇腹形成体２と基台部材３との結合について説明する。
【００２７】
基台部材３は、縦方向に延びる屈曲部３１を横方向中央に有する矩形の部材であり、屈曲部３１にて折り畳むことが可能である。カードケース１が閉状態では、基台部材３１は屈曲部３１にて二つ折りにされて閉状態となり、カードケース１が開状態では、基台部材３１は折曲げ解除されて開状態となる。
【００２８】
基台部材３には４つの辺が存在し、これらの辺のうち、上側で横方向に沿った辺である上側端部３２に沿って第一帯部材２１が接合され、下側で横方向に沿った辺である下側端部３３に沿って第二帯部材２２が接合される。さらに詳しくは、第一帯部材２１の左側端部２１４Ａが、基台部材３の上側端部３２に沿って屈曲部３１よりも左側に接合され、第一帯部材２１の右側端部２１４Ｂが基台部材３の上側端部３２に沿って屈曲部３１よりも右側に接合される。同様に、第二帯部材２２の左側端部２２４Ａが、基台部材３の下側端部３３に沿って屈曲部３１よりも左側に接合され、第二帯部材２２の右側端部２２４Ｂが、基台部材３の下側端部３３に沿って屈曲部３１よりも右側に接合される。
【００２９】
その結果、第一帯部材２１及び第二帯部材２２のいずれもが、基台部材３の辺のうち横方向に沿った一辺（上側端部３２又は下側端部３３）に沿って、屈曲部３１挟む状態で両端が並んで接合され、蛇腹収容体２は、屈曲部３１を横断するように基台部材３に結合される。このように蛇腹収容体２と基台部材３とが結合されることにより、所謂「飛び出す絵本」のように、基台部材３が屈曲部３１にて折曲げられて閉じているときは、蛇腹収容体２は、二つ折りになった基台部材３に挟まれて折り畳まれた状態となり、基台部材３１の折曲げが解除されて開いているときには、蛇腹収容体２は、基台部材３の表面に立ち上がってカード収容部２３が開口した状態となる。
【００３０】
また、上記のように、蛇腹収容体２と基台部材３とが結合された結果、第二帯部材２２の端部側に存在する２つの第一端部平面２２５１、２２６１と基台部材３との間に挟んでカード６を収納することができるようになり、ここはカード収容部２４となる。
【００３１】
蛇腹収容体２及び基台部材３は、外側部材４の左側端部４１及び下側端部４２に沿って配置され、結合される。その際、蛇腹収容体２、基台部材３及び外側部材４をまとめて一度に縫製して結合することもできる。なお、第一帯部材２１及び第二帯部材２２を組み合わせて蛇腹収容体２としてから上記の縫製を行ってもよいし、第一帯部材２１と第二帯部材２２とを組み合わせる前に上記の縫製を行い、縫製を行った後に、基台部材３上で第一帯部材２１と第二帯部材２２とを組み合わせてもよい。後者の方が、製造の容易さの面で利点がある。いずれにしても、この種のカードケースの製造方法としては、従来のものよりも容易といえる。
【００３２】
以上、本発明のカードケース１について実施形態を示して具体的に説明したが、本発明は、以上の実施形態に限定されるものではなく、本発明の範囲において適宜変更を加えて実施をすることができる。
【００３３】
例えば、上記実施形態において、カードケース１は皮革で構成されたが、その他の素材で構成されてもよい。このような素材としては、ビニール、紙、布等を挙げることができるが、カードケースとしての形状を維持できる素材であれば特に限定されない。
【００３４】
また、上記実施形態において、菱形のカード収容部２３が３箇所形成されるように各帯部材に山折部と谷折部が設けられたが、菱形のカード収容部が３箇所よりも多く又は少なく形成されるように各帯部材に山折部と谷折部を設けてもよい。
【符号の説明】
【００３５】
１        カードケース
２        蛇腹収容体
２１      第一帯部材
２１１    山折部
２１２    谷折部
２１３    切込部
２１４Ａ  左側端部
２１４Ｂ  右側端部
２１５，２１６，２１７  平面部
２１８    底辺
２１９    閉鎖部
２２      第二帯部材
２２１    山折部
２２２    谷折部
２２３    切込部
２２４Ａ  左側端部
２２４Ｂ  右側端部
２２５，２２６，２２７  平面部
２３，２４カード収容部
２４      カード収容部
３        基台部材
３１      屈曲部
４        外側部材
５        留め具
５１      凸型留め具
５２      凹型留め具
８        札収容部
【図１】
2020054695.tif 000003
【図２】
2020054695.tif 000004
【図３】
2020054695.tif 000005
【図４】
2020054695.tif 000006
【図５】
2020054695.tif 000007
【図６】
2020054695.tif 000008
【図７】
2020054695.tif 000009